(57)【要約】【課題】石油燃焼器の既存部品を利用してカートリッジタンク及び固定タンクの灯油の使用量を容易に確認できる装置を提供する。【解決手段】操作部１２の既存スイッチを特定操作することで、オイルポンプ１４によって燃焼部１３へ供給された灯油の量の積算値を記憶し、その積算値を表示させるようにしてある。【選択図】図１
2005140468.tif 000002
【特許請求の範囲】
【請求項１】
灯油を給油するカートリッジタンクと、前記カートリッジタンクから灯油を受ける固定タンクと、固定タンクより燃焼部へ灯油を供給するオイルポンプと、オイルポンプの流量や燃焼空気量を制御する制御部と、使用者が操作するスイッチや室温等の表示をする表示素子を実装した操作部とを備え、前記制御部は、オイルポンプによって燃焼部へ供給された灯油の量の積算値を記憶し、かつ、その積算値を操作部の表示素子に表示できるようにしたことを特徴とする石油燃焼器の制御装置。
【請求項２】
操作部の特定のスイッチを操作すると、記憶している積算値を初期化するようにした請求項１記載の石油燃焼器の制御装置。
【請求項３】
操作部の特定のスイッチを操作すると、通常、温度または時刻を表示している表示素子に所定時間、積算値を表示するようにした請求項１記載の石油燃焼器の制御装置。
【請求項４】
操作部の表示素子に積算値が表示されているときに、操作部の特定のスイッチを操作すると、記憶している積算値を初期化するようにした請求項３記載の石油燃焼器の制御装置。
【請求項５】
使用者のスイッチ操作によって初期化できる灯油使用量の積算値と使用者のスイッチ操作では初期化できない灯油使用量の積算値とを記憶し、ＥＥＰＲＯＭ等の不揮発性メモリーにも記憶することによって、電源が断たれても積算値が保持されるようにした請求項１記載の石油燃焼器の制御装置。
【発明の詳細な説明】
【技術分野】
【０００１】
本発明は、石油燃焼機の制御装置に関するもので、特に、灯油の消費量を使用者に知らせる制御装置に関するものである。
【背景技術】
【０００２】
従来、この種の石油燃焼器の制御装置では、カートリッジタンクの重量を検知する重量検知手段を設け、カートリッジタンク内の灯油の量をバー表示等で表示して使用者に給油の時期を知らせる方式や、固定タンクに取付けた油面検知手段によってカートリッジタンクが空で、かつ、固定タンク内の灯油量が一定量以下になった時点を検知して給油ランプ等で使用者に給油の時期を知らせる方式が多く用いられている。
【０００３】
さらに、油面検知手段で固定タンク内の灯油量が一定量以下になったことを検知してから、以降の燃焼可能時間を表示する工夫をしたものも知られている（例えば、特許文献１参照）。
【０００４】
図３は、前記特許文献１に記載された従来の石油燃焼器の制御装置のブロック図で、油面検知手段で固定タンク内の灯油量が一定量以下になったことを検知してから、以降の燃焼可能時間を表示する制御装置例である。油面検出手段７によって油タンク６内の灯油の残量が所定量以下になった時点を検出し、燃焼可能時間算出手段８によって残りの灯油で燃焼を継続できる時間を算出し、燃焼可能時間計時手段９へ伝える。燃焼可能時間計時手段９でリアルタイムに燃焼可能時間を計時すると共に残りの灯油量を算出する。燃焼可能時間計時手段９で計時されている時間を表示部１０へ表示することによって、使用者は残りの灯油で燃焼を継続できる時間を確認できる。
【特許文献１】特開２０００−２１３７４４号公報
【発明の開示】
【発明が解決しようとする課題】
【０００５】
しかしながら、前記従来の構成では、油面検出手段の取付け誤差や固定タンクの形状バラツキによって、油面検出手段が作動した時点での残油量にバラツキが生じる。さらに、燃焼量が変化すると単位時間当りの灯油の消費量も変わるので、表示している燃焼可能時間内に灯油がなくなることがないようにするには、バラツキを考慮した最小の残油量と最大の灯油消費量とをもとに燃焼継続可能時間を算出せざるを得ない。この為、実際の燃焼可能時間より短い時間表示になる。
【０００６】
また、固定タンクに取付けた油面検知手段によって固定タンク内の灯油量が一定量以下になった時点を検知して給油ランプ等で使用者に給油の時期を知らせる方式では、使用者は、給油ランプ点灯前のカートリッジタンク内の灯油の残量を把握することができないし、給油ランプ点灯後どの程度燃焼を継続できるのかもわからない。
【０００７】
さらに、カートリッジタンクの灯油の量を表示する従来の方式では、重量検知手段が必要であり部品点数が多くなるので、安価な制御装置を提供することができないという課題を有していた。
【０００８】
本発明は上記従来の課題を解決するもので、石油燃焼器の既存部品を利用してカートリッジタンクおよび固定タンクの灯油の量を使用者が把握できる、安価な石油燃焼器の制御装置を提供することを目的としたものである。
【課題を解決するための手段】
【０００９】
前記従来の課題を解決するために、本発明の石油燃焼器の制御装置は、操作部に設けた既存スイッチの特定操作により、オイルポンプによって燃焼部へ供給された灯油の量の積算値を記憶し、その積算値を表示させることができる構成にしている。
【００１０】
これによって、各燃焼量における単位時間当りの灯油の消費量は予め把握できるのでマイコン内にデータとして記憶させておき、単位時間毎に積算値にそのときの燃焼量に応じた単位時間当りの灯油の消費量を加算していくことで灯油の消費量の積算値が求められるようにし、使い勝手の向上を図るものである。
【発明の効果】
【００１１】
本発明の石油燃焼器の制御装置は、灯油の消費量の積算値を表示できるようにすることで、使用者がカートリッジタンクおよび固定タンクの灯油の量を把握することができ、かつ、石油燃焼器に既存の部品を利用して前記の機能を実現しているので、安価な石油燃焼器の制御装置を提供できる。
【発明を実施するための最良の形態】
【００１２】
第１の発明は、灯油を給油するカートリッジタンクと、前記カートリッジタンクから灯油を受ける固定タンクと、固定タンクより燃焼部へ灯油を供給するオイルポンプと、オイルポンプの流量や燃焼空気量を制御する制御部と、使用者が操作するスイッチや室温等の表示をする表示素子を実装した操作部とを備え、前記制御部は、オイルポンプによって燃焼部へ供給された灯油の量の積算値を記憶し、その積算値を表示させることができるようにしたことを特徴とするもので、使用者がカートリッジタンクに給油した時の積算値から石油燃焼器を使用することによって増加した積算値の増加分が灯油の消費量なのでカートリッジタンクの容量からこの消費量を差し引くことによって使用者はカートリッジタンク内の灯油の残量を把握できる。
【００１３】
第２の発明は、操作部の特定のスイッチを操作すると、記憶している積算値を初期化するようにしたことを特徴とするもので、使用者がカートリッジタンクに給油した時に操作部の特定のスイッチを操作することによって灯油の消費量の積算値を初期化すれば、積算値の表示がカートリッジタンクから減った灯油の量を表すようになるので、使用者は、灯油の残量をより容易に把握することができる。
【００１４】
第３の発明は、操作部の特定のスイッチを操作すると、通常、温度または時刻を表示している表示素子に所定時間、積算値を表示するようにしたことを特徴とするもので、積算値を表示するための新たな表示素子を必要とせず、石油燃焼器の既存部品で積算値の表示が実現できる。
【００１５】
第４の発明は、第３の発明において操作部の表示素子に積算値が表示されているときに、操作部の特定のスイッチを操作すると、記憶している積算値を初期化するようにしたことを特徴とするもので、積算値を初期化するための専用スイッチを必要とせず、通常は、他の機能を果たすスイッチを利用して積算値の初期化を行うことができる。
【００１６】
第５の発明は、使用者のスイッチ操作によって初期化できる灯油消費量の積算値と使用者のスイッチ操作では初期化できない灯油消費量の積算値とを記憶し、ＥＥＰＲＯＭ等の不揮発性メモリーにも記憶することによって、電源が断たれても積算値が保持されるようにしたことを特徴とするもので、メンテナンス時等に整備担当者が使用者のスイッチ操作では初期化できない灯油消費量の積算値を読み出して、石油燃焼器がどの程度使用されたものかを把握した上で、整備を行うことができる。
【００１７】
以下、本発明の実施の形態について図面を参照しながら説明する。なお、この実施形態によって本発明が限定されるものではない。
【００１８】
（実施の形態１）
図１は、本発明の第１の実施の形態における石油燃焼器のブロック図を示すものである。
【００１９】
図１において、灯油は、カートリッジタンク１６から固定タンク１５を経て、オイルポンプ１４によって燃焼部１３へ供給される。制御部１１は、室温や設定温度などの状態によって燃焼量を決定し、その燃焼量に応じてオイルポンプ１４の駆動周波数または駆動パルス幅を調整することによって、燃焼部１３へ供給する灯油の量を制御する。固定タンク１５には、油面検知手段１７が設置され、固定タンク内の灯油量が一定量以下になったことを制御部１１に伝える。また、制御部１１は、操作部１２に配置されたスイッチの状態を検知したり、表示素子に室温や設定温度の情報を表示する。さらに制御部１１には、燃焼部１３へ供給した灯油の量を積算する灯油量積算手段１８とその積算値を記憶する積算値記憶手段１９を設けている。
【００２０】
以上のように構成された石油燃焼器の制御装置について、以下その動作、作用を図２のフローチャートを用いて説明する。
【００２１】
図２において、灯油消費量の積算処理は定期的に実行される処理で、スイッチ操作Ａ、スイッチ操作Ｂおよびスイッチ操作Ｃは、それぞれの操作がなされたときに実行される処理である。
【００２２】
灯油消費量の積算処理では、最初にオイルポンプが動作しているかを判断し、動作中でなければ灯油は消費されていないのでＮｏ側へ分岐して処理を抜ける。動作中であれば、Ｙｅｓ側に分岐して判断３１を実行する。判断３１では、前回の積算処理から単位時間が経過していなけてれば、Ｎｏ側へ分岐して処理を抜ける。単位時間が経過していれば、Ｙｅｓ側に分岐して以降の積算処理３２〜３４を実行する。この判断によって単位時間毎に灯油消費量の積算処理が行われるようになる。処理３２で、予め把握されているそれぞれの燃焼量における単位時間当りの灯油消費量のデータから現在の燃焼量に相当する単位時間当りの灯油消費量を読み出す。処理３３で、読み出した単位時間当りの灯油消費量を現在の積算値データに加算し、処理３４で、加算結果を新たな積算値としてメモリーに記憶する。以上の処理で灯油量積算手段１８と積算値記憶手段１９とを構成できる。
【００２３】
次に、スイッチ操作Ａの処理は、使用者がこの操作をした際に実行され、前記の積算値を初期化する。使用者がカートリッジタンクに給油したときに、この操作をすれば、石油燃焼器を使用することによってカートリッジタンクから減った灯油量を積算値が示すようになる。また、油面検知手段１７によって固定タンク内の灯油量が一定量以下になったことが検知されて給油ランプが点灯した時に、使用者がこのスイッチ操作によって積算値を初期化すれば、積算値の表示で固定タンク内の灯油量が一定量以下になってから、さらにどれだけ灯油を消費したかを把握できる。
【００２４】
スイッチ操作Ｂの処理は、使用者がこの操作をした際に実行され、通常、温度または時刻を表示している表示素子に、前期積算値を表示し、一定時間経過後にもとの表示に戻すために積算値表示時間タイマーを起動している。マイマーがタイムアウトした時点で表示はもとの表示内容に戻される。これによって積算値を表示するための新たな表示素子を必要とせず、石油燃焼器の既存部品で積算値を表示することができる。
【００２５】
スイッチ操作Ｃの処理は、使用者がこの操作をした際に実行され、判断３９で積算値を表示中でなければ、Ｎｏ側へ分岐して処理を抜ける。積算値を表示中であれば、Ｙｅｓ側に分岐して積算値を初期化する。この処理によって積算値を初期化するための専用スイッチを必要とせず、通常は、他の機能を果たすスイッチを利用して積算値の初期化を行うことができる。
【００２６】
積算値を記憶するメモリーを２個設け、一方のメモリーは、使用者が初期化のスイッチ操作をしても初期化しなようにし、定期的にＥＥＰＲＯＭ等の不揮発性メモリーに記憶するとことによって、電源が断たれても積算値が保持されるようにする。また、電源復帰時には、ＥＥＰＲＯＭ等の不揮発性メモリーから積算値を記憶する前記一方のメモリーに積算値をロードする処理を行う。こうすることによってメンテナンス時等に整備担当者がこの灯油消費量の積算値を読み出して、石油燃焼器がどれだけ使用されたかを把握できる。
【産業上の利用可能性】
【００２７】
本発明にかかる制御装置は、既存の部品を利用して灯油の消費量の積算値を表示できるようにすることで、使用者がカートリッジタンクおよび固定タンクの灯油の量を把握することができるので、石油燃焼器の灯油量確認装置としての用途に適用できる。
【図面の簡単な説明】
【００２８】
【図１】本発明の実施の形態１における石油燃焼器のブロック図
【図２】同石油燃焼器の動作フローチャート
【図３】従来の石油燃焼器のブロック図
【符号の説明】
【００２９】
１１  制御部
１２  操作部
１３  燃焼部
１４  オイルポンプ
１５  固定タンク
１６  カートリッジタンク
１７  油面検知手段
１８  灯油量積算手段
１９  積算値記憶手段
【図１】
2005140468.tif 000003
【図２】
2005140468.tif 000004
【図３】
2005140468.tif 000005